(57)【特許請求の範囲】
【請求項１】
空調ダクトの経路途中に配置され当該空調ダクト内の空調空気の流量を調整する風量調整ダンパであって、筒状のケーシングと、前記ケーシング内を流れる空調空気の風速を検知する風速センサと、前記ケーシング内の流路を開閉して空調空気の流量を調整する羽根と、前記風速センサが検知した風速データに基づいて前記羽根を開閉駆動する制御装置と、を備え、
前記ケーシングに開設された点検口と、前記点検口の周りに突設された周壁と、前記点検口を閉塞する蓋体と、前記風速センサを前記ケーシング内の所定位置に保持するため前記蓋体の裏面に設けられたセンサフレームと、前記蓋体を前記点検口に着脱自在に係止する係止手段と、を設けたことを特徴とする風量調整ダンパ。
【請求項２】
前記センサフレームに対する前記風速センサの取付位置が、前記ケーシングの横断方向に沿って変更可能である請求項１記載の風量調整ダンパ。
【請求項３】
前記蓋体の外面に、前記ケーシングに対する前記風速センサの適正取付方向を示す表示部を設けた請求項１または２記載の風量調整ダンパ。
【請求項４】
前記係止手段として、支軸を中心に回転して前記蓋体を係脱可能に押圧するレバーを前記点検口の周壁に設けた請求項１〜３のいずれかに記載の風量調整ダンパ。
【発明の詳細な説明】
【技術分野】
【０００１】
本発明は、空気調和設備において、室内の温度条件に合わせて空調空気の風量をコントロールするため、空調ダクトの経路途中に設置される風量調整ダンパに関する。
【背景技術】
【０００２】
本発明に関連する従来の風量調整ダンパとして、例えば、図９に示すようなものがある。図９に示すように、風量調整ダンパ６０は、建物の天井内空間に配置された空調ダクト（図示せず）の経路途中に接続される筒状のケーシング６１と、ケーシング６１内を流れる空調空気の風速を検知する風速センサ６２と、風速センサ６２が検知した風速データに基づいてケーシング６１内の流路を開閉して空調空気の流量を調整する羽根６３と、を備えている。ケーシング６１の一部には、開閉可能な蓋体６２で閉塞された点検口６７が設けられている。風速センサ６２は、蓋体６２の内面に立設されたセンサフレーム６５によってケーシング６１の軸心付近に位置するように保持されている。
【０００３】
風量調整ダンパ６０の稼働中、風速センサ６２はケーシング６１内を流れる空調空気に曝されているので、粉塵含有量が比較的多いＯＡ系統やＲＡ系統においては風速センサ６２に空気中の塵埃などが付着することがあり、定期的に風速センサ６２をメンテナンスすることが推奨されている。従来の風量調整ダンパ６０におけるメンテナンスは、複数のネジ６６を緩めて蓋体６４を開き、当該蓋体６４内面にセンサフレーム６５を介して固定されている風速センサ６２を、点検口６７を経由して、ケーシング６１内から取り出すことによって行われている。
【０００４】
一方、本発明に関連する先行技術として、例えば、特許文献１記載の「可変風量ユニット」あるいは特許文献２記載の「ダクトの測定口構造」などがある。
【先行技術文献】
【特許文献】
【０００５】
【特許文献１】特開２０１１−５２９３１号公報
【特許文献２】実開昭６２−１３４０２８号公報
【発明の概要】
【発明が解決しようとする課題】
【０００６】
図９に示す風量調整ダンパ６０においては、ケーシング６１の外周は、空調用ダクトの外周とともに保温材（図示せず）で被覆され、このとき、点検口６７を閉塞する蓋体６４も保温材で被覆される。このため、風速センサ６２のメンテナンスを行う場合、まず、点検口の位置を特定しなければならないが、風量調整ダンパが保温材で覆われているため、特定が困難である。また、位置を特定できたら、蓋体６４及び点検口６７周辺の保温材を削除しなければ、点検口を開くことができない。さらに、メンテナンス終了後は、蓋体６４及び点検口６７周辺の保温材修復作業が必要であり、これらの作業を天井内空間で行うことに多大な労力を要する。
【０００７】
また、風量調整ダンパ６０の蓋体６４の開閉時における複数のネジ６６の緩締作業の際には、ドライバなどの工具を必要とし、狭い作業空間での緩締作業は作業性が悪く、長時間を要している。また、緩締作業中などに誤ってネジ６４を落として、紛失してしまうこともある。
【０００８】
このような問題は、特許文献１，２に記載されている先行技術などを用いても解決できないのが実状である。
【０００９】
本発明が解決しようとする課題は、風速センサのメンテナンスが極めて容易な風量調整ダンパを提供することにある。
【課題を解決するための手段】
【００１０】
本発明の風量調整ダンパは、空調ダクトの経路途中に配置され当該空調ダクト内の空調空気の流量を調整する風量調整ダンパであって、筒状のケーシングと、前記ケーシング内を流れる空調空気の風速を検知する風速センサと、前記ケーシング内の流路を開閉して空調空気の流量を調整する羽根と、前記風速センサが検知した風速データに基づいて前記羽根を駆動する制御装置と、を備え、
前記ケーシングに開設された点検口と、前記点検口の周りに突設された周壁と、前記点検口を閉塞する蓋体と、前記風速センサを前記ケーシング内の所定位置に保持するため前記蓋体の裏面に設けられたセンサフレームと、前記蓋体を前記点検口に着脱自在に係止する係止手段と、を設けたことを特徴とする。
【００１１】
ここで、「前記蓋体を前記点検口に着脱自在に係止する係止手段」とは、工具やネジを使用することなく、手動操作のみで蓋体を点検口に装着、離脱することができる機能を有する係止手段をいう。
【００１２】
このような構成とすれば、係止手段を手動操作することによって点検口に対する蓋体の装着、離脱作業を行うことが可能となるので、工具が不要となり、ネジを紛失するおそれもなくなり、メンテナンスが容易となる。また、ケーシングの外周に保温材を施工した後も、点検口の周壁は保温材から突出した状態となるため、点検口の位置を容易に特定することができ、メンテナンス時の作業性が向上する。よって、風速センサのメンテナンスは極めて容易となる。なお、蓋体が断熱性を有する構成とすれば、蓋体外面を保温材で被覆する必要がなくなるので、メンテナンス時に点検口周辺の保温材を削除したり、修復したりする作業も不要となる。
【００１３】
ここで、前記センサフレームに対する前記風速センサの取付位置が、前記ケーシングの横断方向に沿って変更可能であることが望ましい。
【００１４】
このような構成とすれば、サイズが異なる複数種類のケーシングに風速センサを装着する場合、前記サイズに応じて、センサフレームに対する風速センサの取付位置を調整することにより、風速センサを当該ケーシングの軸心付近に保持することが可能となるため、風速センサ、センサフレーム及び蓋体を一体化した状態で共用化することができる。また、風速センサはケーシングの軸心付近に保持することが望ましいが、ケーシング内における空調空気の流動状況に応じて、軸心から変位した位置に風速センサを保持したい場合にも有効である。
【００１５】
また、前記蓋体の外面に、前記ケーシングに対する前記風速センサの適正取付方向を示す表示部を設けることが望ましい。
【００１６】
このような構成とすれば、メンテナンス終了後あるいは風速センサ交換後などに蓋体をケーシングに取り付ける場合、取付方向の間違いを防止することができる。
【００１７】
さらに、前記係止手段として、支軸を中心に回転して前記蓋体を係脱可能に押圧するレバーを前記点検口の周壁に設けることができる。
【００１８】
このような構成とすれば、レバーを手動で回転させるだけで、点検口に対する蓋体の係止、解除を行うことが可能となるので、ドライバなどの工具が不要となり、係脱作業がさらに向上する。
【発明の効果】
【００１９】
本発明により、風速センサのメンテナンスが極めて容易な風量調整ダンパを提供することができる。
【図面の簡単な説明】
【００２０】
【図１】本発明の実施形態である風量調整ダンパを示す側面図である。
【図２】図１のＡ−Ａ線付近における一部省略断面図である。
【図３】図１の一部拡大図である。
【図４】図３のＢ−Ｂ線付近における一部省略断面図である。
【図５】その他の実施形態である風量調整ダンパを示す一部省略正面図である。
【図６】図５に示す風量調整ダンパを構成するセンサフレームの一部省略斜視図である。
【図７】その他の実施形態である風量調整ダンパを示す一部省略正面図である。
【図８】その他の実施形態である風量調整ダンパを示す一部省略正面図である。
【図９】従来の風量調整ダンパを示す一部省略斜視図である。
【発明を実施するための形態】
【００２１】
以下、図１〜図４に基づいて、本発明の実施の形態について説明する。図１〜図４に示すように、本実施形態の風量調整ダンパ１００は、空調ダクト（図示せず）の経路途中に配置され当該空調ダクト内の空調空気の流量を調整するものであり、筒状のケーシング１１と、ケーシング１１内を流れる空調空気の風速を検知する風速センサ１２と、ケーシング１１内の流路を開閉して空調空気の流量を調整する羽根２３と、風速センサ１２が検知した風速データに基づいて羽根２３を開閉駆動する制御装置１０と、を備えている。
【００２２】
ケーシング１１の側方に開設された点検口１３の周りには、短四角筒形状の周壁１４が突設され、点検口１３を閉塞する断熱性の蓋体１５が周壁１４の上縁部１４ａを覆った状態で着脱自在に係止されている。また、風速センサ１２をケーシング１１内の所定位置（ケーシング１１の軸心付近）に保持するため蓋体１５の内面からケーシング１１内に向かって正面視形状が略「人」字形状のセンサフレーム１６が延設され、蓋体１５を周壁１４の上縁部１４ａに着脱自在に係止する係止手段である複数のレバー１７が、それぞれ断面Ｌ字状の支持部材３７及び支軸１７ａを介して周壁１４に取り付けられている。また、図３，図４に示すように、短四角筒形状の周壁１４の上縁部１４ａは当該周壁１４の軸心に向かって逆Ｌ字状に折り曲がった額縁形状をなし、周壁１４の外周面には予め保温材２１が付設されている。
【００２３】
本実施形態において、断熱性を有する蓋体１５は、金属板で形成された浅い四角箱状の本体部１５の凹部内に断熱材１５ｃを嵌め込んだ構造としているが、これに限定するものではない。なお、空調ダクト（図示せず）の外周面及びケーシング１１の外周面はダクト保温施工時に保温材１８（図２参照）で被覆されるが、制御装置１０及び点検口１３の周壁１４は保温材で被覆されることなく露出した状態に保たれる。また、蓋体１５の内面（点検口１３に向かう面）にはパッキン（図示せず）が付設されているので、蓋体１５で点検口１３を閉塞したとき、蓋体１５と周壁１４の上縁部１４ａとの間に前記パッキン（図示せず）が挟持された状態となる。
【００２４】
図３，図４に示すように、一対の支持部材３７は短四角筒形状をした周壁１４の対辺部分に配置され、支持部材３７が配置されていない他辺部分の一方にストッパ２２が設けられている。支持部材３７及びストッパ２２はそれぞれ周壁１４の外周から起立状に突設され、蓋体１５を点検口１３に取り付けるとき、蓋体１５の外周を支持部材３７及びストッパ２２の内側に当接させることにより、点検口１３に対する蓋体１５の正確な位置決めを行うことができる。なお、支持部材３７及びストッパ２２の個数や位置は限定しないので、使用条件に応じて設定することができる。
【００２５】
また、図１に示すように、制御装置１０の外面１０ｂの一部に、ケーシング１１内を流動する気流方向２０を矢印３０ａで示す表示部３０が設けられ、蓋体１５の外面１５ａには、ケーシング１１に対する風速センサ１２の適正取付方向を矢印１９ａで示す表示部１９が設けられている。図２に示すように、制御装置１０は、その外面を保温材で被覆することなく露出した状態であるため、空調ダクト（図示せず）の外周を保温材で保温処理した後も、表示部１９，３０を視認することができる。
【００２６】
風速センサ１２は、その感知部を上流側に向けてセットする必要があるが、蓋体１５の表示部１９に表示されている矢印１９ａの方向が、制御装置１０の表示部３０の矢印３０ａと同方向となるように蓋体１５を取り付ければ、風速センサ１２が適正取付方向にセットされる。蓋体１５の係止手段である複数のレバー１７は、それぞれ支軸１７ａを中心に回転することによって蓋体１５の外面１５ａを係脱可能に押圧する。
【００２７】
一方、風速センサ１２が検知した風速データを送信するためのセンサコード２４が蓋体１５の外面１５ａから制御装置１０に向かって延設され、センサコード２４先端のコネクタ２４ａを介して、制御装置１０の外面に設けられたコネクタ１０ａに着脱可能に接続されている。前述した制御装置１０と同じく、コネクタ２４ａも保温材で被覆されていないので、コネクタ１０ａに対する着脱作業が容易である。
【００２８】
風量調整ダンパ１００においては、複数のレバー１７を手動操作で回転させることによって点検口１３の周りに突設された周壁１４に対する蓋体１５の装着、離脱を行うことができるので、ドライバやスパナなどの工具が不要であり、ネジを紛失するおそれもなく、メンテナンス時の作業性が良好である。
【００２９】
また、蓋体１５は、ケーシング１１の外周面から保温材１８の厚み分だけ突出した周壁１４の上縁部１４ａを覆った状態で装着され、蓋体１５自体が断熱性を有しているため、ケーシング１８の外周面に保温材１８を施工するとき、蓋体１５などの点検部分を保温材１８から露出させておくことができる。このため、保温材１８の施工後においても、外部から点検口１３の位置を容易に特定することができ、メンテナンス性が向上する。さらに、蓋体１５が断熱性を有していることにより、蓋体１５の外面１５ａを保温材１８で被覆する必要がなくなるので、メンテナンス時に点検口１３周辺の保温材を削除したり、修復したりする作業も不要である。従って、風量調整ダンパ１００における風速センサ１２のメンテナンスや取り換えは極めて容易である。
【００３０】
なお、蓋体１５を点検口１３に着脱自在に係止する係止手段はレバー１７に限定しないので、磁石などの吸着具あるいは着脱自在な雌雄嵌合機構などを採用することもできる。また、前述したように、蓋体１５は、浅い四角箱状の本体部１５ｂの凹部内に断熱材１５ｃを嵌め込んだ構造としているが、これに限定するものではないので、蓋体全体を断熱材料で形成したり、その他の断熱構造を採用したりすることもできる。
【００３１】
次に、図５〜図８に基づいてその他の実施形態である風量調整ダンパ２００，３００，４００について説明する。なお、風量調整ダンパ２００，３００，４００において図１，図２に示す風量調整ダンパ１００と共通する部分については、図５〜図８において同符号を付して説明を省略する。
【００３２】
図５に示す風量調整ダンパ２００においては、図１，図２に示す風量調整ダンパ１００を構成するセンサフレーム１６の代わりに、図６に示すセンサフレーム２６が用いられている。図６に示すように、センサフレーム２６は、正面視形状が略「人」形状をなすように対向配置された一対のフレーム部材２７の先端部２７ａ側に風速センサ１２が挟持され、複数のビス２８でフレーム部材２７に固定されている。一対のフレーム部材２７が互いに平行に対向する領域にはその長手方向に沿って複数のビス孔２９が間隔をおいて開設されている。
【００３３】
センサフレーム２６に風速センサ１２を取り付ける場合、複数のビス孔２９のいずれかを選択することにより、センサフレーム２６に対する風速センサ１２の取付位置を矢線Ｘ，Ｙ方向に変更可能である。即ち、センサフレーム２６に風速センサ１２を取り付ける場合、複数のビス孔２９のいずれかを選択することにより、図５に示すように、センサフレーム２６に対する風速センサ１２の取付位置をケーシング２０１の横断方向２０１ｂに沿って変更可能である。
【００３４】
従って、図７に示すように、図５に示す風量調整ダンパ２００のケーシング２０１よりも内径の小さなケーシング３０１を有する風量調整ダンパ３００に風速センサ１２を装着する場合、図６に示すように、風速センサ１２を矢線Ｙ方向に寄せた位置に取り付けることにより、風速センサ１２をケーシング３０１の軸心３０１ｃ付近の適切な位置にセットすることができる。
【００３５】
一方、図８に示すように、図５に示す風量調整ダンパ２００のケーシング２０１よりも内径の大きなケーシング４０１を有する風量調整ダンパ４００に風速センサ１２を装着する場合、図６に示すように、風速センサ１２を矢線Ｘ方向に寄せた位置に取り付けることにより、風速センサ１２をケーシング４０１の軸心４０１ｃ付近の適切な位置にセットすることができる。
【００３６】
以上のように、内径の異なるケーシング２０１，３０１，４０１を有するケーシング２０１，３０１，４０１に風速センサ１２を装着する場合、それぞれのケーシング２０１，３０１，４０１に内径に応じて、センサフレーム２６に対する風速センサ１２の取付位置を調整することにより、風速センサ１２をそれぞれのケーシング２０１，３０１，４０１の軸心２０１ｃ，３０１ｃ，４０１ｃ付近に保持することが可能であるため、風速センサ１２、センサフレーム２６及び蓋体などを一体化した状態で共用化を図ることができる。
【００３７】
なお、前述した実施形態は本発明の一例を示すものであり、本発明の風量調整ダンパはこれらの実施形態に限定されない。
【産業上の利用可能性】
【００３８】
本発明の風量調整ダンパは、オフィスビルや工場建屋などの空気調和設備を構成する資材として、建設業の分野において広く利用することができる。
【符号の説明】
【００３９】
１０  制御装置
１０ａ，２４ａ  コネクタ
１０ｂ，１５ａ  外面
１１，２０１，３０１，４０１  ケーシング
１１ｂ，２０１ｂ  横断方向
１１ｃ，２０１ｃ，３０１ｃ，４０１ｃ  軸心
１２  風速センサ
１３  点検口
１４  周壁
１４ａ  上縁部
１５  蓋体
１５ｂ  本体部
１５ｃ  断熱材
１６，２６  センサフレーム
１７  レバー
１７ａ  支軸
１８，２１  保温材
１９，３０  表示部
１９ａ，３０ａ  矢印
２０  気流方向
２２  ストッパ
２３  羽根
２４  センサコード
２７  フレーム部材
２７ａ  先端部
２８  ビス
２９  ビス孔
３７  支持部材
１００，２００，３００，４００  風量調整ダンパ
【図１】
0005863513.tif 000002
【図２】
0005863513.tif 000003
【図３】
0005863513.tif 000004
【図４】
0005863513.tif 000005
【図５】
0005863513.tif 000006
【図６】
0005863513.tif 000007
【図７】
0005863513.tif 000008
【図８】
0005863513.tif 000009
【図９】
0005863513.tif 000010